(57)【要約】【課題】空気調和機の雷サージ保護回路において、少ない回路部品数で雷サージ電圧の抑制を行なうと共に、漏れ電流の絶縁も行なう。【解決手段】ＡＣ入力線（ライブ線１及びニュートラル線２）に直列に接続されたＬ１、Ｌ２と力率改善回路部インダクタＬ３の各々のインダクタの同相端子間にアレスタを挿入、もしくは、Ｌ１、Ｌ２、Ｌ３をひとつのインダクタと考え、その合成インダクタの同相端子間にアレスタを挿入、もしくは、Ｌ２、Ｌ３をひとつのインダクタと考え、その合成インダクタの同相端子間にアレスタを挿入し、ＡＣ入力線のインダクタに高いサージ電圧が誘起した場合、そのサージ電圧を放電することにより抑圧する。【選択図】図１
2011160557.tif 000002
【特許請求の範囲】
【請求項１】
商用電源から供給されるＡＣ入力線（ライブ線１及びニュートラル線２）と力率改善回路及び整流回路部５間に接続されたインダクタ部品Ｌ１及びＬ２を有し、そのインダクタ部品Ｌ１、Ｌ２と直列に接続された力率改善回路部インダクタＬ３を１つのインダクタと考え、その合成インダクタの同相端子間とニュートラル線２のインダクタ部品の同相端子間に各々アレスタが挿入されていることを特徴とする電子機器の雷サージ保護回路。
【請求項２】
商用電源から供給されるＡＣ入力線（ライブ線１及びニュートラル線２）と力率改善回路及び整流回路部５間に接続されたインダクタ部品Ｌ１及びＬ２を有し、そのインダクタ部品Ｌ１、Ｌ２と直列に接続された力率改善回路部インダクタＬ３を有する回路で、Ｌ１、Ｌ２、Ｌ３各々のインダクタの同相入出力間にアレスタが挿入されていることを特徴とする電子機器の雷サージ保護回路。
【請求項３】
商用電源から供給されるＡＣ入力線（ライブ線１及びニュートラル線２）と力率改善回路及び整流回路部５間に接続されたインダクタ部品Ｌ１及びＬ２を有し、そのインダクタ部品Ｌ１、Ｌ２と直列に接続された力率改善回路部インダクタＬ３を有する回路で、Ｌ２、Ｌ３を１つのインダクタと考え、その合成インダクタの同相端子間にアレスタが挿入されていることを特徴とする電子機器の雷サージ保護回路。
【発明の詳細な説明】
【技術分野】
【０００１】
本発明は、空気調和機等の電子機器をサージ電圧から保護するための雷サージ保護回路に関するものである。
【背景技術】
【０００２】
電子機器は、雷サージ電圧やインパルス性ノイズによって、誤動作や破損を招く場合がある。雷サージは、数千Ｖの過大なサージ電圧がＡＣラインに重畳され、機器内に侵入することがある。この雷サージは、外部の電力線から電子機器内に入力されるコモンモード（同相）の外来サージであり、その過大なサージ電圧により整流回路などの電源回路が破損してしまう場合がある。そこでサージ吸収素子であるサージアブソーバー（バリスタ、アレスタなど）を挿入することにより、侵入した雷サージ電圧の吸収、又は放電を行ない、電源回路の保護をする。図４に示した回路ブロックは、一般的な雷サージ対策で、  雷による過大なサージ電圧がＡＣラインに重畳された場合に、ライブ線１に印加されたサージ電圧はバリスタＢ１、Ｂ２、Ｂ３で、またニュートラル線２に印加されたサージ電圧はバリスタＢ２、Ｂ３、Ｂ４で短絡し、その放電電流はアースに流すことにより電源回路の保護をするようにしている。
【先行技術文献】
【特許文献】
【０００３】
【特許文献１】実開平１−９６７３８号公報
【特許文献２】実開昭６３−１４９１５２号公報
【発明の開示】
【発明が解決しようとする課題】
【０００４】
しかしながら、図４に示した回路ブロックのような雷サージ対策を施した場合、雷サージ電圧をグランド側に逃がすことによって、機器内に侵入することを防止できるが、このような回路ブロックを構成する為には、回路部品数が多く必要である為、コスト上昇、及び  基板上における実装スペースを多く必要とする。特に従来の図４に示した回路ブロックの場合、各バリスタが商用電源に対して直列に挿入されることになるので、サージ電圧の除去効果は得られるが、絶縁耐圧を保つことが困難であり、バリスタＢ１、Ｂ２、Ｂ３、Ｂ４などを流れる漏れ電流を絶縁することができないため、ノイズ対策が不十分であった。
【課題を解決するための手段】
【０００５】
本発明は、前記従来の課題を解決するために、ＡＣ入力線（ライブ線１及びニュートラル線２）に重畳される雷サージ電圧を除去する電子機器の雷サージ保護回路において、ＡＣ入力線（ライブ線１及びニュートラル線２）に直列に接続されたＬ１、Ｌ２と力率改善回路部インダクタＬ３の各々のインダクタの同相端子間にアレスタを挿入、もしくは、Ｌ１、Ｌ２、Ｌ３をひとつのインダクタと考え、その合成インダクタの同相端子間にアレスタを挿入、もしくは、Ｌ２、Ｌ３をひとつのインダクタと考え、その合成インダクタの同相端子間にアレスタを挿入し、ＡＣ入力線のインダクタに高いサージ電圧が誘起した場合、そのサージ電圧を放電することにより抑圧するように構成されている。
【発明の効果】
【０００６】
ＡＣ入力線上のインダクタ部品の同相端子間に、アレスタを挿入することにより、雷サージ電圧の抑圧を行なうことができるようになると共に、漏れ電流の絶縁も行なうことができるようになる。また従来よりも雷サージ保護回路部品数が減る為、コストダウン、及
び、実装スペースが少なくて済む。
【図面の簡単な説明】
【０００７】
【図１】本発明の電子機器の雷サージ保護回路の一例を示した回路ブロック図
【図２】本発明の電子機器の雷サージ保護回路の一例を示した回路ブロック図
【図３】本発明の電子機器の雷サージ保護回路の一例を示した回路ブロック図
【図４】従来の電子機器の雷サージ保護回路の一例を示した回路ブロック図
【発明を実施するための形態】
【０００８】
第１の発明は、ＡＣ入力線上のインダクタＬ１、Ｌ２、Ｌ３の合成インダクタの同相端子間とニュートラル線のインダクタ部品の同相端子間にアレスタＡ１、Ａ２を挿入したものである。
【０００９】
第２の発明は、アレスタＡ１、Ａ２、Ａ３、Ａ４をＡＣ入力線上のインダクタＬ１、Ｌ２、Ｌ３の各々の同相端子間に挿入したものである。
【００１０】
第３の発明は、ＡＣ入力線上のインダクタＬ２、Ｌ３の合成インダクタンスの同相端子間にアレスタＡ１を挿入したものである。
【００１１】
これらの発明は、従来の雷サージ保護回路が必要とする部品数に対し、雷サージ保護回路部品数が少なく、コストダウン、及び、実装スペースを小さくすることができる。また、絶縁耐圧対策、及び、バリスタによる漏れ電流がなくなり、ＥＭＩフィルタの漏れ電流の軽減ができる。
【００１２】
以下、本発明の実施の形態について、図面を参照しながら説明する。なお、この実施の形態によって本発明が限定されるものではない。
【００１３】
（実施の形態１）
図１は、本発明の回路ブロックである。ＡＣ入力線上のインダクタＬ１、Ｌ２、Ｌ３をひとつのインダクタと考え、その合成インダクタの同相端子間とニュートラル線２のインダクタ部品の同相端子間にアレスタＡ１、Ａ２を挿入した例である。このような回路ブロックにおいて、雷による過大なサージ電圧がＡＣ入力線１、２から機器内部に侵入すると、ＡＣ入力線上に挿入されているインダクタ部品の同相端子間に極めて高い誘起電圧が発生し、この誘起電圧が機器内部のアース電位との間で放電し、そのスパークにより、電装部品、特に半導体素子が破壊される。しかし、本発明の場合は、アレスタＡ１によってＡＣ入力線上に挿入されているインダクタ部品の同相端子間に発生する極めて高い誘起電圧が抑制され、機器内部で放電（アース側）することを防止する。ＡＣ入力線上のインダクタ部品の同相端子間の前後に誘起するサージ電圧は、アレスタＡ１の放電開始電圧以下に抑制され、電子機器内部においては絶縁破壊を保護することができる。
【００１４】
（実施の形態２）
図２は、本発明の回路ブロックである。アレスタＡ１、Ａ２、Ａ３、Ａ４をＡＣ入力線上のインダクタＬ１、Ｌ２、Ｌ３の各々の同相端子間に挿入した例である。このような回路ブロックにおいて、雷による過大なサージ電圧がＡＣ入力線１、２から機器内部に侵入すると、ＡＣ入力線上に挿入されているインダクタ部品の同相端子間に極めて高い誘起電圧が発生し、この誘起電圧が機器内部のアース電位との間で放電し、そのスパークにより、電装部品、特に半導体素子が破壊される。しかし、本発明の場合は、アレスタＡ１によってＡＣ入力線上に挿入されているインダクタ部品の同相端子間に発生する極めて高い誘起電圧が抑制され、機器内部で放電（アース側）することを防止する。ＡＣ入力線上のインダクタ部品の同相端子間の前後に誘起するサージ電圧は、アレスタＡ１の放電開始電圧
以下に抑制され、電子機器内部においては絶縁破壊を保護することができる。
【００１５】
（実施の形態３）
図３は、本発明の回路ブロックである。ＡＣ入力線上のインダクタＬ２、Ｌ３を１つのインダクタと考え、その合成インダクタンスの同相端子間にアレスタＡ１を挿入した例である。このような回路ブロックにおいて、雷による過大なサージ電圧がＡＣ入力線１、２から機器内部に侵入すると、ＡＣ入力線上に挿入されているインダクタ部品の同相端子間に極めて高い誘起電圧が発生し、この誘起電圧が機器内部のアース電位との間で放電し、そのスパークにより、電装部品、特に半導体素子が破壊される。しかし、本発明の場合は、アレスタＡ１によってＡＣ入力線上に挿入されているインダクタ部品の同相端子間に発生する極めて高い誘起電圧が抑制され、機器内部で放電（アース側）することを防止する。ＡＣ入力線上のインダクタ部品の同相端子間の前後に誘起するサージ電圧は、アレスタＡ１の放電開始電圧以下に抑制され、電子機器内部においては絶縁破壊を保護することができる。
【産業上の利用可能性】
【００１６】
この発明は、電子機器の電装品を雷サージ電圧から保護するための雷サージ保護回路に関するものであり、空気調和機、冷蔵庫等の常時商用電源に接続されている機器用に適する。
【符号の説明】
【００１７】
１  ライブライン
２  ニュートラルライン
３  ヒューズ
４  商用電源
５  力率改善回路及び整流回路ブロック
６  スイッチング電源
Ｌ１  ラインフィルタ
Ｌ２  ノーマルモードコイル
Ｌ３  力率改善回路部インダクタ
Ｃ  コンデンサー
Ｂ１、Ｂ２、Ｂ３、Ｂ４  バリスタ
Ａ１  アレスタ
【図１】
2011160557.tif 000003
【図２】
2011160557.tif 000004
【図３】
2011160557.tif 000005
【図４】
2011160557.tif 000006